(57)【特許請求の範囲】
【請求項１】
第一光ファイバと第二光ファイバとを光接続してなる光通信路における通信状況の目視確認を目的として前記光通信路を通じて伝送されている通信光の可視化を実現するための通信光可視化コードであって、
前記第一光ファイバが収容され、ポリ塩化ビニル樹脂を中空筒状に成形してなる第一光コードと、
前記第二光ファイバが収容され、ポリ塩化ビニル樹脂を中空筒状に成形してなる第二光コードと、
前記第一光コードの先端部に取り付けられ、ポリエステルエラストマーを中空筒状に成形してなる第一ブーツと、
前記第二光コードの先端部に取り付けられ、ポリエステルエラストマーを中空筒状に成形してなる第二ブーツと、
前記第一ブーツの先端部に取り付けられ、アルミニウムを中空筒状に成形してなる第一加締リングと、
前記第二ブーツの先端部に取り付けられ、アルミニウムを中空筒状に成形してなる第二加締リングと、
前記第一加締リングの先端部に取り付けられ、黄銅またはステンレスを中空筒状に成形してなる第一ストッパと、
前記第二加締リングの先端部に取り付けられ、黄銅またはステンレスを中空筒状に成形してなる第二ストッパと、
前記第一ストッパに保持されていると共に前記第一光ファイバの先端部が収容され、ジルコニアを中空筒状に成形してなる第一フェルール本体と当該第一フェルール本体を保持し黄銅またはステンレスを中空筒状に成形してなる第一フランジ部とを有する第一フェルールと、
前記第二ストッパに保持されていると共に前記第二光ファイバの先端部が収容され、ジルコニアを中空筒状に成形してなる第二フェルール本体と当該第二フェルール本体を保持し黄銅またはステンレスを中空筒状に成形してなる第二フランジ部とを有する第二フェルールと、
前記第一フェルールと前記第二フェルールとが保持され、ジルコニアをスリットが存在している中空筒状に成形してなる割りスリーブと、
前記第一ストッパと前記第二ストッパとの間に取り付けられていると共に前記第一フェルールと前記第二フェルールとが前記割りスリーブと共に収容されているフェルールカバーと、
を備えており、
前記第一光ファイバと前記第二光ファイバとが前記光通信路を通じて伝送されている前記通信光の一部を漏洩光として取り出す光取出部を介して光接続され、
前記フェルールカバーは前記通信光に対して透明であるメタクリル樹脂を中空筒状に成形したものであり、
前記第一光コードは、前記第一光ファイバと共に第一抗張力体を収容しており、
前記第二光コードは、前記第二光ファイバと共に第二抗張力体を収容しており、
前記第一抗張力体は、先端部が前記第一加締リングと前記第一ストッパとの間に挟持されており、
前記第二抗張力体は、先端部が前記第二加締リングと前記第二ストッパとの間に挟持され、
前記第一抗張力体及び前記第二抗張力体は、ケプラー繊維を糸状に撚り合わせたものであることを特徴とする通信光可視化コード。
【発明の詳細な説明】
【技術分野】
【０００１】
本発明は、光通信路における通信状況の目視確認を目的として光通信路を通じて伝送されている通信光の可視化を実現するための通信光可視化コードに関する。
【背景技術】
【０００２】
光通信関連設備は、光通信路における通信状況の目視確認を目的として光通信路を通じて伝送されている通信光の可視化を実現するための通信光可視化構造を実装していることがある。通信光可視化構造としては、光通信路に光散乱媒質を介在させることにより光通信路を通じて伝送されている通信光の一部を漏洩光とし、その漏洩光を受光素子で検知することにより光通信路を通じて通信光が伝送されているか否かを判定し、光通信路を通じて通信光が伝送されているか否かを発光素子を通じて作業者に表示することにより光通信路における通信状況の目視確認を可能とするものが知られている（例えば、特許文献１から４を参照）。
【先行技術文献】
【特許文献】
【０００３】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【発明の概要】
【発明が解決しようとする課題】
【０００４】
通信光可視化構造を実装している光通信関連設備においては、光通信路における通信状況の目視確認が行えるため、光通信路の監視や保守等を容易に実施することができるが、通信光可視化構造は新技術であることから、通信光可視化構造を実装していない光通信関連設備も存在している。これらの光通信関連設備に通信光可視化構造を実装する場合はパッチパネルの交換が必要になることがあるが、パッチパネルの交換は著しいシステム変更や複数ポートの通信を同時に停止する必要があるという課題がある。
【０００５】
そこで、本発明の目的は、著しいシステム変更や複数ポートの通信を同時に停止することを伴わずに通信光可視化構造を実装していない光通信関連設備に通信光可視化構造を容易に実装することが可能な通信光可視化コードを提供することにある。
【課題を解決するための手段】
【０００６】
本発明は、第一光ファイバと第二光ファイバとを光接続してなる光通信路における通信状況の目視確認を目的として前記光通信路を通じて伝送されている通信光の可視化を実現するための通信光可視化コードであって、前記第一光ファイバが収容されている第一光コードと、前記第二光ファイバが収容されている第二光コードと、前記第一光コードの先端部に取り付けられている第一ブーツと、前記第二光コードの先端部に取り付けられている第二ブーツと、前記第一ブーツの先端部に取り付けられている第一加締リングと、前記第二ブーツの先端部に取り付けられている第二加締リングと、前記第一加締リングの先端部に取り付けられている第一ストッパと、前記第二加締リングの先端部に取り付けられている第二ストッパと、前記第一ストッパに保持されていると共に前記第一光ファイバの先端部が収容されている第一フェルールと、前記第二ストッパに保持されていると共に前記第二光ファイバの先端部が収容されている第二フェルールと、前記第一フェルールと前記第二フェルールとが保持されている割りスリーブと、前記第一ストッパと前記第二ストッパとの間に取り付けられていると共に前記第一フェルールと前記第二フェルールとが前記割りスリーブと共に収容されているフェルールカバーと、を備えており、前記第一光ファイバと前記第二光ファイバとが前記光通信路を通じて伝送されている前記通信光の一部を漏洩光として取り出す光取出部を介して光接続されている通信光可視化コードである。
【０００７】
前記第一光コードは、前記第一光ファイバと共に第一抗張力体を収容しており、前記第二光コードは、前記第二光ファイバと共に第二抗張力体を収容しており、前記第一抗張力体は、先端部が前記第一加締リングと前記第一ストッパとの間に挟持されており、前記第二抗張力体は、先端部が前記第二加締リングと前記第二ストッパとの間に挟持されていることが望ましい。
【発明の効果】
【０００８】
本発明によれば、著しいシステム変更や複数ポートの通信を同時に停止することを伴わずに通信光可視化構造を実装していない光通信関連設備に通信光可視化構造を容易に実装することが可能な通信光可視化コードを提供することができる。
【図面の簡単な説明】
【０００９】
【図１】本発明の実施の形態に係る通信光可視化コードを示す断面図である。
【図２】図１の通信光可視化コードの第一光コードを示す断面図である。
【図３】図１の通信光可視化コードの第一ブーツを示す断面図である。
【図４】図１の通信光可視化コードの第一加締リングを示す断面図である。
【図５】図１の通信光可視化コードの第一ストッパを示す断面図である。
【図６】図１の通信光可視化コードの第一フェルールを示す断面図である。
【図７】図１の通信光可視化コードの割りスリーブを示す断面図である。
【図８】図１の通信光可視化コードのフェルールカバーを示す断面図である。
【発明を実施するための形態】
【００１０】
以下、本発明の実施の形態を添付図面に順って説明する。
【００１１】
図１に示す通り、本発明の実施の形態に係る通信光可視化コード１００は、第一光ファイバ１０１と第二光ファイバ１０２とを光接続してなる光通信路１０３における通信状況の目視確認を目的として光通信路１０３を通じて伝送されている通信光の可視化を実現するためのものである。光通信路１０３における通信状況としては、例えば、光通信路１０３の使用／不使用の状態が挙げられる。
【００１２】
通信光可視化コード１００は、第一光コード１０４と、第二光コード１０５と、第一ブーツ１０６と、第二ブーツ１０７と、第一加締リング１０８と、第二加締リング１０９と、第一ストッパ１１０と、第二ストッパ１１１と、第一フェルール１１２と、第二フェルール１１３と、割りスリーブ１１４と、フェルールカバー１１５と、を備えている。
【００１３】
図２に示す通り、第一光コード１０４は、柔軟性が高いポリ塩化ビニル樹脂等を中空筒状に成形してなり、第一光ファイバ１０１と共に第一抗張力体１１６を収容している。これにより、第一光ファイバ１０１と第一抗張力体１１６とを保護することが可能となる。また、第一光ファイバ１０１は、コアとクラッドとからなる光ファイバ素線１１７と、光ファイバ素線１１７の周囲に被覆されている保護層１１８と、を有しており、先端部において保護層１１８が剥ぎ取られて光ファイバ素線１１７が露出している。
【００１４】
なお、本明細書においては、第一光ファイバ１０１と第二光ファイバ１０２とを光接続する通信光可視化コード１００の中央の端部を先端部と呼称すると共に通信光可視化コード１００の両端の端部を後端部と呼称する。
【００１５】
同様に、第二光コード１０５は、柔軟性が高いポリ塩化ビニル樹脂等を中空筒状に成形してなり、第二光ファイバ１０２と共に第二抗張力体１１９を収容している。これにより、第二光ファイバ１０２と第二抗張力体１１９とを保護することが可能となる。また、第二光ファイバ１０２は、コアとクラッドとからなる光ファイバ素線１１７と、光ファイバ素線１１７の周囲に被覆されている保護層１１８と、を有しており、先端部において保護層１１８が剥ぎ取られて光ファイバ素線１１７が露出している。
【００１６】
図３に示す通り、第一ブーツ１０６は、柔軟性が高いポリエステルエラストマー等を中空筒状に成形してなり、第一光コード１０４の先端部に取り付けられている。より詳細に言えば、第一ブーツ１０６は、内径が第一光コード１０４と第一加締リング１０８との外径差に合わせて徐々に変化しており、第一ブーツ１０６の先端部が第一加締リング１０８の後端部を被覆していると共に第一ブーツ１０６の後端部が第一光コード１０４の先端部を被覆している。また、第一ブーツ１０６は、第一ブーツ１０６を部分的に肉抜してなる肉抜部１２０を有している。これらにより、第一ブーツ１０６に対して通信光可視化コード１００の屈曲に追従して変形する程度の柔軟性を付与することができると共に通信光可視化コード１００の屈曲に伴って応力が集中し易い第一光コード１０４の先端部を保護することができるため、第一光コード１０４の疲労破断を抑制することが可能となる。更に、第一ブーツ１０６は、先端部を内側に突出させてなる爪部１２１を有している。爪部１２１は、先端部側が面取部１２２となっていると共に後端部側が角部１２３となっている。これらにより、第一ブーツ１０６と第一加締リング１０８とを容易に係合させることができると共に第一ブーツ１０６と第一加締リング１０８とが分離することを抑制することができるため、第一光コード１０４の先端部をより確実に保護することが可能となる。また、第一ブーツ１０６は、内周面に段差を形成してなる段差部１２４を有している。これにより、第一加締リング１０８が第一ブーツ１０６に過度に挿入されることを抑制することが可能となる。
【００１７】
同様に、第二ブーツ１０７は、柔軟性が高いポリエステルエラストマー等を中空筒状に成形してなり、第二光コード１０５の先端部に取り付けられている。より詳細に言えば、第二ブーツ１０７は、内径が第二光コード１０５と第二加締リング１０９との外径差に合わせて徐々に変化しており、第二ブーツ１０７の先端部が第二加締リング１０９の後端部を被覆していると共に第二ブーツ１０７の後端部が第二光コード１０５の先端部を被覆している。また、第二ブーツ１０７は、第二ブーツ１０７を部分的に肉抜してなる肉抜部１２０を有している。これらにより、第二ブーツ１０７に対して通信光可視化コード１００の屈曲に追従して変形する程度の柔軟性を付与することができると共に通信光可視化コード１００の屈曲に伴って応力が集中し易い第二光コード１０５の先端部を保護することができるため、第二光コード１０５の疲労破断を抑制することが可能となる。更に、第二ブーツ１０７は、先端部を内側に突出させてなる爪部１２１を有している。爪部１２１は、先端部側が面取部１２２となっていると共に後端部側が角部１２３となっている。これらにより、第二ブーツ１０７と第二加締リング１０９とを容易に係合させることができると共に第二ブーツ１０７と第二加締リング１０９とが分離することを抑制することができるため、第二光コード１０５の先端部をより確実に保護することが可能となる。また、第二ブーツ１０７は、内周面に段差を形成してなる段差部１２４を有している。これにより、第二加締リング１０９が第二ブーツ１０７に過度に挿入されることを抑制することが可能となる。
【００１８】
図４に示す通り、第一加締リング１０８は、加工性が高いアルミニウム等を中空筒状に成形してなり、第一ブーツ１０６の先端部に取り付けられている。これにより、第一加締リング１０８を第一ストッパ１１０に容易に加締めることが可能となる。また、第一加締リング１０８は、外周面に溝を形成してなる溝部１２５を有している。これにより、第一ブーツ１０６の爪部１２１を第一加締リング１０８の溝部１２５に係合させて第一ブーツ１０６と第一加締リング１０８とを強固に固定することが可能となる。また、第一加締リング１０８は、内周面に段差を形成してなる段差部１２６を有している。これにより、第一ストッパ１１０が第一加締リング１０８に過度に挿入されることを抑制することが可能となる。更に、第一加締リング１０８は、先端と後端の内周面が面取部１２７となっている。これにより、第一加締リング１０８に対する第一ストッパ１１０の挿入を容易にし、第一コード１０４の第一抗張力体１１６の損傷を防ぐことが可能となる。
【００１９】
同様に、第二加締リング１０９は、加工性が高いアルミニウム等を中空筒状に成形してなり、第二ブーツ１０７の先端部に取り付けられている。これにより、第二加締リング１０９を第二ストッパ１１１に容易に加締めることが可能となる。また、第二加締リング１０９は、外周面に溝を形成してなる溝部１２５を有している。これにより、第二ブーツ１０７の爪部１２１を第二加締リング１０９の溝部１２５に係合させて第二ブーツ１０７と第二加締リング１０９とを強固に固定することが可能となる。また、第二加締リング１０９は、内周面に段差を形成してなる段差部１２６を有している。これにより、第二ストッパ１１１が第二加締リング１０９に過度に挿入されることを抑制することが可能となる。更に、第二加締リング１０９は、先端と後端の内周面が面取部１２７となっている。これにより、第二加締リング１０９に対する第二ストッパ１１１の挿入を容易にし、第二コード１０５の第二抗張力体１１９の損傷を防ぐことが可能となる。
【００２０】
図５に示す通り、第一ストッパ１１０は、硬度が高い黄銅やステンレス等を中空筒状に成形してなり、第一加締リング１０８の先端部に取り付けられている。これにより、第一ストッパ１１０が変形し難くなるため、第一ストッパ１１０と第二ストッパ１１１とをフェルールカバー１１５を介して強固に固定することが可能となる。即ち、第一ストッパ１１０と第二ストッパ１１１とは第一抗張力体１１６や第二抗張力体１１９に頼らなくても相互に分離し難い。また、第一ストッパ１１０は、外周面に溝を形成してなる溝部１２８を有している。これにより、第一抗張力体１１６を第一加締リング１０８と第一ストッパ１１０との間に確実に挟持させることができるため、通信光可視化コード１００が引っ張られても第一ブーツ１０６と第一加締リング１０８とが分離し難くなるため、通信光可視化コード１００の引張特性を向上させることが可能となる。なお、第一抗張力体１１６は、引張強度が高いケプラー繊維等を糸状に撚り合わせてなる。また、第一ストッパ１１０は、内周面に段差を形成してなる段差部１２９を有しており、さらにこの段差部１２９と第一フェルール１１２との間にバネ１４０が設けられている。これにより、第一フェルール１１２が第一ストッパ１１０に過度に挿入されることを抑制することができると共に、バネ１４０により第一光ファイバ１０１を第二光ファイバ１０２に向かって押し付けることができるため、第一光ファイバ１０１が引っ張られても第一光ファイバ１０１と第二光ファイバ１０２との間の距離が変化し難く、これらの光接続を安定化させることが可能となる。更に、第一ストッパ１１０は、先端部に孔を空けてなる孔部１３０を有している。これにより、フェルールカバー１１５を第一ストッパ１１０に強固に係合させてフェルールカバー１１５と第一ストッパ１１０とが分離することを抑制することができるため、通信光可視化コード１００の引張特性を向上させることが可能となる。
【００２１】
同様に、第二ストッパ１１１は、硬度が高い黄銅やステンレス等を中空筒状に成形してなり、第二加締リング１０９の先端部に取り付けられている。これにより、第二ストッパ１１１が変形し難くなるため、第二ストッパ１１１と第一ストッパ１１０とをフェルールカバー１１５を介して強固に固定することが可能となる。即ち、第二ストッパ１１１と第一ストッパ１１０とは第二抗張力体１１９や第一抗張力体１１６に頼らなくても相互に分離し難い。また、第二ストッパ１１１は、外周面に溝を形成してなる溝部１２８を有している。これにより、第二抗張力体１１９を第二加締リング１０９と第二ストッパ１１１との間に確実に挟持させることができるため、通信光可視化コード１００が引っ張られても第二ブーツ１０７と第二加締リング１０９とが分離し難くなるため、通信光可視化コード１００の引張特性を向上させることが可能となる。なお、第二抗張力体１１９は、引張強度が高いケプラー繊維等を糸状に撚り合わせてなる。また、第二ストッパ１１１は、内周面に段差を形成してなる段差部１２９を有している。これにより、第二フェルール１１３が第二ストッパ１１１に過度に挿入されることを抑制することができるため、第二光ファイバ１０２が引っ張られても第二光ファイバ１０２と第一光ファイバ１０１との間の距離が変化し難く、これらの光接続を安定化させることが可能となる。更に、第二ストッパ１１１は、先端部に孔を空けてなる孔部１３０を有している。これにより、フェルールカバー１１５を第二ストッパ１１１に強固に係合させてフェルールカバー１１５と第二ストッパ１１１とが分離することを抑制することができるため、通信光可視化コード１００の引張特性を向上させることが可能となる。
【００２２】
図６に示す通り、第一フェルール１１２は、通信光（漏洩光）に対して透明であるジルコニア等を中空筒状に成形してなるフェルール本体１３１と、硬度が高い黄銅やステンレス等を中空筒状に成形してなると共にフェルール本体１３１を保持するフランジ部１３２と、を有している。また、第一フェルール１１２は、第一ストッパ１１０に保持されていると共に第一光ファイバ１０１の先端部を収容している。より詳細に言えば、第一フェルール１１２のフランジ部１３２が第一ストッパ１１０に保持されていると共に第一光ファイバ１０１の先端部が第一フェルール１１２のフェルール本体１３１に収容されている。また、フランジ部１３２は、外周面に段差を形成してなる段差部１３４を有していると共に内周面に段差を形成してなる段差部１３５を有している。これらにより、フランジ部１３２が第一ストッパ１１０に過度に挿入されることを抑制すると共にフェルール本体１３１がフランジ部１３２に過度に挿入されることを抑制することができるため、第一光ファイバ１０１が引っ張られても第一光ファイバ１０１と第二光ファイバ１０２との間の距離が変化し難く、これらの光接続を安定化させることが可能となる。更に、フェルール本体１３１の後端の内周面が面取部１３６となっており、フランジ部１３２の後端の内周面が面取部１３７となっている。これにより、フェルール本体１３１とフランジ部１３２に対する第一光ファイバ１０１の挿入を容易にすることが可能となる。
【００２３】
同様に、第二フェルール１１３は、通信光（漏洩光）に対して透明であるジルコニア等を中空筒状に成形してなるフェルール本体１３１と、硬度が高い黄銅やステンレス等を中空筒状に成形してなると共にフェルール本体１３１を保持するフランジ部１３２と、を有している。また、第二フェルール１１３は、第二ストッパ１１１に保持されていると共に第二光ファイバ１０２の先端部を収容している。より詳細に言えば、第二フェルール１１３のフランジ部１３２が第二ストッパ１１１に保持されていると共に第二光ファイバ１０２の先端部が第二フェルール１１３のフェルール本体１３１に収容されている。また、フランジ部１３２は、外周面に段差を形成してなる段差部１３４を有していると共に内周面に段差を形成してなる段差部１３５を有している。これらにより、フランジ部１３２が第二ストッパ１１１に過度に挿入されることを抑制すると共にフェルール本体１３１がフランジ部１３２に過度に挿入されることを抑制することができるため、第二光ファイバ１０２が引っ張られても第二光ファイバ１０２と第一光ファイバ１０１との間の距離が変化し難く、これらの光接続を安定化させることが可能となる。更に、フェルール本体１３１の後端の内周面が面取部１３６となっており、フランジ部１３２の後端の内周面が面取部１３７となっている。これにより、フェルール本体１３１とフランジ部１３２に対する第二光ファイバ１０２の挿入を容易にすることが可能となる。
【００２４】
図７に示す通り、割りスリーブ１１４は、通信光（漏洩光）に対して透明であるジルコニア等をスリット１３８が存在している中空筒状に成形してなり、第一フェルール１１２と第二フェルール１１３とを保持している。これにより、第一光ファイバ１０１と第二光ファイバ１０２との間で光軸を所望の位置に適切に配置することができるため、第一光ファイバ１０１と第二光ファイバ１０２との間で光軸を適切に軸ズレさせて光通信路１０３を通じて伝送されている通信光の一部を漏洩光として取り出す光取出部１３３を形成することができる。なお、光取出部１３３は、特に構造が限定される訳ではなく、第一光ファイバ１０１と第二光ファイバ１０２との間で光軸を軸ズレさせる他にも、第一光ファイバ１０１と第二光ファイバ１０２とのコア径差を利用して光通信路１０３を通じて伝送されている通信光の一部を漏洩光として取り出すこともできる。
【００２５】
図８に示す通り、フェルールカバー１１５は、通信光（漏洩光）に対して透明であるメタクリル樹脂等を中空筒状に成形してなり、第一ストッパ１１０と第二ストッパ１１１との間に取り付けられていると共に第一フェルール１１２と第二フェルール１１３とを割りスリーブ１１４と共に収容している。これにより、光取出部１３３を含む通信光可視化構造を保護することが可能となる。また、フェルールカバー１１５は、外周面に突起を形成してなる突起部１３９を有している。これにより、フェルールカバー１１５の突起部１３９を第一ストッパ１１０と第二ストッパ１１１の孔部１３０に係合させてフェルールカバー１１５と第一ストッパ１１０と第二ストッパ１１１とを強固に固定することが可能となる。
【００２６】
光取出部１３３から取り出された漏洩光は、例えば、受光素子で検知する方法や、可視光に変換して出力する等の方法により、通信光の有無を目視で確認することができる。なお、通信光が可視光である場合は漏洩光を目視で直接確認することもできる。
【００２７】
これまで説明してきた通信光可視化コード１００によれば、１ポートずつ既存のパッチコードを通信光可視化コード１００に交換するだけで通信光可視化構造を実装していない光通信関連設備に通信光可視化構造を実装することができるため、著しいシステム変更や複数ポートの通信を同時に停止することを伴わずに通信光可視化構造を実装していない光通信関連設備に通信光可視化構造を容易に実装することが可能となる。
【００２８】
また、通信光可視化コード１００によれば、第一抗張力体１１６と第二抗張力体１１９とを使用して通信光可視化コード１００の引張特性を向上させているため、例えば、７ｋｇｆ程度の引っ張りにも耐えることが可能となる。
【符号の説明】
【００２９】
１００  通信光可視化コード
１０１  第一光ファイバ
１０２  第二光ファイバ
１０３  光通信路
１０４  第一光コード
１０５  第二光コード
１０６  第一ブーツ
１０７  第二ブーツ
１０８  第一加締リング
１０９  第二加締リング
１１０  第一ストッパ
１１１  第二ストッパ
１１２  第一フェルール
１１３  第二フェルール
１１４  スリーブ
１１５  フェルールカバー
１１６  第一抗張力体
１１７  光ファイバ素線
１１８  保護層
１１９  第二抗張力体
１２０  肉抜部
１２１  爪部
１２２  面取部
１２３  角部
１２４  段差部
１２５  溝部
１２６  段差部
１２７  面取部
１２８  溝部
１２９  段差部
１３０  孔部
１３１  フェルール本体
１３２  フランジ部
１３３  光取出部
１３４  段差部
１３５  段差部
１３６  面取部
１３７  面取部
１３８  スリット
１３９  突起部
１４０  バネ
【図１】
0006492972.tif 000002
【図２】
0006492972.tif 000003
【図３】
0006492972.tif 000004
【図４】
0006492972.tif 000005
【図５】
0006492972.tif 000006
【図６】
0006492972.tif 000007
【図７】
0006492972.tif 000008
【図８】
0006492972.tif 000009